(57)【要約】【課題】テープカートリッジにおいてテープリールの回転によるリールロックの振動を抑制する。【解決手段】  ハウジング（１２）と、ハウジング内に回転可能に配置されたリール（１４）とリール（１４）がロックされる第１位置と、リール（１４）がロック解除される第２位置との間で動作可能であるリールロック（３８）であって、ハウジング（１２）及びリールロック（３８）の一方がインサート（５８、７６または８２）を、他方が受け部（６０、７８または８４）を有し、インサート（５８、７６または８２）は、受け部（６０、７８または８４）に密接にはまる寸法及び形状を有し、インサート（５８、７６または８２）は受け部内で摺動可能であるリールロック（３８）と、リールロック（３８）が第２位置にあるとき、ハウジング（１２）とリールロック（３８）との間に結合されて動作するダンパ（６５）とを備えることを特徴とする。【選択図】図６
2005141898.tif 000002
【特許請求の範囲】
【請求項１】
ハウジングと、
前記ハウジング内に回転可能に配置されたリールと、
前記リールがロックされる第１位置と、前記リールがロック解除される第２位置との間で動作可能であるリールロックであって、前記ハウジング及び前記リールロックの一方がインサートを、他方が受け部を有し、前記インサートは、前記受け部に密接にはまる寸法及び形状を有し、前記インサートは前記受け部内で摺動可能であるリールロックと、
前記リールロックが前記第２位置にあるとき、前記ハウジングと前記リールロックとの間に結合されて動作するダンパと、
を備えることを特徴とするテープカートリッジ。
【請求項２】
前記ダンパは、前記リールロックが前記第２位置にあるとき前記ハウジングと前記リールロックとの間で圧縮される弾性パッドを有することを特徴とする請求項１に記載のテープカートリッジ。
【請求項３】
ハウジングと、
前記ハウジング内に回転可能に配置されたリールと、
前記リール上に設けられ、前記ハウジングを通してアクセス可能であり、前記リールをテープ駆動装置に結合して駆動するように構成されているテープ駆動装置インターフェースと、
前記リールに係合して前記リールの回転を防止するロック位置と、前記リールに係合しないで前記リールが回転自在であるロック解除位置との間を移動可能である回転しないように固定されたロック部材と、
前記ロック部材が前記ロック解除位置にあるとき、前記ハウジングと前記ロック部材との間で結合されて動作するダンパと、
を備えることを特徴とするテープカートリッジ。
【請求項４】
前記ロック部材に係合するように動作するアクチュエータをさらに備え、前記アクチュエータは、前記テープ駆動装置に前記テープ駆動装置インターフェースで係合可能な解除機構を有しており、前記解除機構は、前記解除機構が前記テープ駆動装置に係合せず、前記ロック部材がロックされる第１位置と、前記テープ駆動装置が前記解除機構に係合し、前記ロック部材が解除される第２位置との間を移動可能であることを特徴とする請求項３に記載のテープカートリッジ。
【請求項５】
前記アクチュエータは、前記ロック部材を前記ロック位置の方に押し付けるバイアス機構をさらに有することを特徴とする請求項４に記載のテープカートリッジ。
【請求項６】
前記ダンパは、前記ロック部材が前記ロック解除位置にあるとき前記ハウジング及び前記ロック部材間で圧縮される弾性パッドを有することを特徴とする請求項３に記載のテープカートリッジ。
【請求項７】
ハウジングと、
前記ハウジング内に回転可能に配置されたリールと、
前記リールに結合して動作する第１歯車と、
前記ハウジングに回転しないように固定された第２歯車であって、前記第１歯車に面する前部分、及び前記前部分と反対の後部分を有し、前記第２歯車の前記前部分上の歯が前記第１歯車と噛み合い、前記第２歯車の前記後部分が前記ハウジングから間隔をおいた位置にある第１位置と、前記第２歯車の前記前部分が前記第１歯車から間隔をおいた位置にあり、前記第２歯車の前記後部分が前記ハウジングに弾性的に接触する第２位置との間を移動可能である第２歯車と、
を備えることを特徴とするテープカートリッジ。
【請求項８】
前記第１歯車の周辺部付近で前記第１歯車に貫設された穴と、前記第１歯車に結合されて動作するワッシャとをさらに備えており、前記ワッシャは、前記第１歯車及び前記第２歯車間に配置されており、前記ワッシャは、前記第１歯車の前記穴内へ突出した脚部を有することを特徴とする請求項７に記載のテープカートリッジ。
【請求項９】
前記第２歯車の前記後部分及び前記ハウジング間に弾性パッドをさらに備えていることを特徴とする請求項７に記載のテープカートリッジ。
【請求項１０】
ハウジングと、
前記ハウジング内に回転可能に配置されたリールであって、前記リールの回転中心を中心にした環状ハブ、及び前記ハブから延出している、離間配置された平行なフランジを有するリールと、
前記リールの底部上の第１歯車であって、底側に歯を有し、上側からロック突起が突出しており、前記第１歯車の歯の間のギャップの位置に穴が貫設されている第１歯車と、
前記ハウジングに回転しないように固定された第２歯車であって、前記第１歯車上の前記突起に係合可能な歯を有する第２歯車と、
前記第１歯車及び前記第２歯車間に配置されたワッシャであって、前記第１歯車の前記穴内へ突出した脚部を有し、前記リールの回転中心で前記第２歯車を押すワッシャと、
を備えており、
前記第２歯車は、前記第２歯車が前記突起に係合して前記リールの回転を防止するロック位置、及び前記第２歯車が前記突起に係合しないで、前記リールが回転自在であるロック解除位置間を移動可能であり、
前記ワッシャは、前記ワッシャの前記脚部が前記第１歯車の歯の間のギャップ内へ下向きに延出して、前記第２歯車がロック位置にある第１位置、及び前記ワッシャの前記脚部が前記第１歯車の歯の間のギャップ内へ下向きに延出しないで、前記第２歯車がロック解除位置にある第２位置間を移動可能であり、さらに、
前記第２歯車及び前記ハウジング間に配置された振動ダンパを備えていることを特徴とするテープカートリッジ。
【請求項１１】
前記ハウジングは、前記第２歯車上の受け部内を摺動可能な突出インサートを有し、
前記振動ダンパは、前記ハウジングまたは前記第２歯車に取り付けられた弾性パッドを有し、前記第２歯車が前記ロック解除位置にあるとき、前記弾性パッドは前記受け部及び前記ハウジング間で圧縮されることを特徴とする請求項１０に記載のテープカートリッジ。
【発明の詳細な説明】
【技術分野】
【０００１】
本発明は、テープリールの回転によるリールロックの振動を抑制するテープカートリッジに関するものである。
【背景技術】
【０００２】
広く使用されているデータ記憶用媒体は磁気テープである。テープカートリッジが、データをテープ上に記憶するための最も一般的な形式の１つである。広く使用されている２種類のテープカートリッジは、デュアルリールテープカートリッジ及びシングル供給リールテープカートリッジである。デュアルリールテープカートリッジの場合、供給リール及び巻取りリールの両方がカートリッジ内に収容されている。シングル供給リールテープカートリッジの場合、巻取りリールは、自動テープ掛け機構と一緒にテープ駆動装置内に組み込まれている。テープカートリッジがテープ駆動装置またはテーププレーヤ内で使用されていないとき、リールが空転して、テープが張力を失って部分的に巻が解ける可能性がある。この問題を回避するために、テープカートリッジが何らかの形式のリールロックを備える場合が多い。
【発明の開示】
【発明が解決しようとする課題】
【０００３】
シングル供給リールカートリッジに使用される一般的な形式のリールロックは、リール駆動装置歯車の背面に設けられた歯または他の突起に係合するロック歯車を有し、カートリッジがテープ駆動装置内に装填されていないとき、このロック歯車がリールをロックする。カートリッジがテープ駆動装置内に装填されると、クモ形ワッシャがロック歯車を押し離して離脱位置に進め、リールのロックを解除する。この離脱位置では、クモ形ワッシャが静止したロック歯車に接触しながら（リールと共に）回転する。回転中のワッシャは、ロック歯車をカートリッジハウジングに結合する位置合わせ機構の遊動許容誤差の範囲内で、ロック歯車のがたつき、上下遥動または他の振動を時として引き起こす。より新世代型のテープ駆動装置の一部でテープ速度がより高速であると、硬質プラスチックのカートリッジハウジングに対して振動するリールロックがうるさいであろう。本発明の実施形態は、このうるさい振動を低減させるために開発された。
【課題を解決するための手段】
【０００４】
本発明にかかるテープカートリッジは、ハウジング（１２）と、ハウジング内に回転可能に配置されたリール（１４）とリール（１４）がロックされる第１位置と、リール（１４）がロック解除される第２位置との間で動作可能であるリールロック（３８）であって、ハウジング（１２）及びリールロック（３８）の一方がインサート（５８、７６または８２）を、他方が受け部（６０、７８または８４）を有し、インサート（５８、７６または８２）は、受け部（６０、７８または８４）に密接にはまる寸法及び形状を有し、インサート（５８、７６または８２）は受け部内で摺動可能であるリールロック（３８）と、リールロック（３８）が第２位置にあるとき、ハウジング（１２）とリールロック（３８）との間に動作可能に結合されるダンパ（６５）とを備える。
【発明を実施するための最良の形態】
【０００５】
図１〜図３を参照すると、シングルリールテープカートリッジ１０は、ハウジング１２及びテープ供給リール１４を有する。ハウジング１２は、単一のテープリールを包囲するように構成された矩形の箱型構造である。ハウジング１２は通常、カバー部分１８及びベース部分２０の２つの部分に成型されたプラスチックによって形成される。テープは、アクセス窓２４を通してテープ駆動装置にアクセス可能である。カートリッジ１０がテープ駆動装置内に装填されていないとき、ドア２６がアクセス窓２４を覆う。
【０００６】
図２及び図３を参照すると、テープリール１４は、ディスク形の上下フランジ２８及び３０と環状ハブ３２とを備えている。ハブ３２の底部に円形リール歯車３４が配置されている。リール歯車３４は、テープ駆動装置及びテープリール間の動作インターフェースである。リール歯車３４は、テープ駆動装置の駆動機構内の対応の同軸歯車と噛み合う。リール歯車３４には、ハウジング１２のベース２０内の開口部３６を通してテープ駆動装置がアクセスする。
【０００７】
次に図２〜図８を参照すると、リールロック３８は、クモ形ワッシャ４０、ロック歯車４２、及びリール歯車３４の上部の周辺部に離間配置されたロックポスト４４を備えている。ロックポスト４４の端部４６は、ロック歯車の歯４８にはまり込む寸法及び形状を有する。リール歯車３４の周辺部に等間隔に配置された３つのロックポスト４４は、ロック歯車４２及びリール歯車３４間の動作噛み合いに適した構造の一例にすぎない。他の例として、図２〜図８に示された実施形態に使用されているポストの代わりに、リール歯車３４の上部に全周か、または部分的に設けられた歯車歯があり、あるいは、ロック歯車４２を使用する代わりに、このロック部材を平坦なディスクとして構成して、それから１つまたは複数のポストを下向きに突出させて、リール歯車の上部の歯に係合させるようにしてもよい。
【０００８】
クモ形ワッシャ４０の脚部５０がリール歯車３４の穴５２を貫通するように突出している。図６〜図８で最もよくわかるように、穴５２はリール歯車の歯５６の間のギャップ５４に位置している。図７で最もよくわかるように、クモ形の脚部５０はリール歯車の歯５６の間のギャップ５４内へ突出している。好ましくは、各穴５２及び対応する各クモ形の脚部５０は、隣接した歯の間のギャップ５４にまたがって、テープ駆動装置の歯車の歯の内部に詰まることを防止する。各穴５２及びクモ形の脚部５０は、２つ以上のギャップ５４にまたがることもでき、その場合、穴５２が１つまたは複数の歯を貫通するように設けられる。
【０００９】
ロック歯車４２は、リール１４の回転軸に沿って軸方向だけに移動可能である。ロック歯車４２は、歯車４２をカートリッジハウジング１２に結合する位置合わせ機構５７によってその他の方向には移動しないように保持されている。図２〜図８に示された実施形態では、位置合わせ機構５７は、ハウジング１２のカバー部分１８に形成された、あるいはカバー部分１８と一体化したインサート５８と、ロック歯車４２の上部６２に形成された、あるいは上部６２と一体化した対応の受け部６０とを備えている。本実施形態では、インサート５８は、ハウジングカバー１８上の隆起部として構成されている。ロック歯車４２上の受け部６０は、カートリッジハウジング１２上の隆起部５８を受け取り、それによってロック歯車４２をクモ形ワッシャ４０及びロックポスト４４の上方に位置合わせする。カートリッジハウジング１２及びロック歯車４２間のバイアスばね６４が、ロック歯車４２をクモ形ワッシャ４０及びロックポスト４４に押し付ける。テープカートリッジ１０がテープ駆動装置内に装填されていないとき、このバイアス機構６４がクモ形の脚部５０を下向きにリール歯車の歯５６内へ押し込んで、リールロック３８をロック状態に保持する。ロック歯車４２及びハウジング１２間にダンパ６５が挿入されている。図２〜図８に示された実施形態では、ダンパ６５は、ロック歯車４２のスロット６０を取り囲む弾性パッド６６として構成されている。弾性パッド６６は受け部６０よりわずかに深くなっており、そのため、パッド６６は受け部６０の上方にはみ出す。
【００１０】
作用を説明すると、テープ駆動装置内の駆動モータ歯車がリール歯車３４と噛み合うと、駆動モータ歯車の先端がクモ形の脚部５０を押し上げ、クモ形ワッシャ４０をリール歯車３４から押し上げる。図２及び図３並びに図７及び図８を見比べると最もよくわかるように、この動作により、ロック歯車４２が上方に移動してロックポスト４４から離れ、それによってリールロック３８が解除される。クモ形ワッシャ４０及びバイアスばね６４は、リールロック３８用のアクチュエータとして機能する。テープ駆動装置がリール１４に係合したとき、クモ形ワッシャ４０が解放機構として作用して、それにより、ロック部材、本実施形態ではロック歯車４２をリール１４から離脱させて、リールロック３８を解除する。ばね６４は、ロック部材、すなわちロック歯車４２をロック位置の方に押し付けるためのバイアス機構として機能する。ロック歯車４２が図３及び図８に示されているロック解除位置まで押し上げられたとき、隆起部５８が受け部６０内へより深く滑り込むので、弾性パッド６６は、隆起部５８を取り囲む領域でハウジング１２と接触する位置へ押し進められる。このため、リールロック３８が解除位置にある間、弾性パッド６６がロック歯車４２及びハウジング１２間で圧縮され、それにより、ロック歯車４２のあらゆる振動も減衰させて、ハウジング１２をそのような振動から隔離する。
【００１１】
リール歯車３４にテープ駆動装置が係合したときのロック歯車４２の垂直移動距離を最大にするために、クモ形の脚部５０がリール歯車の歯５６の先端６８と同一高まで突出することが望ましい。ロック歯車４２がロックポスト４４から確実に離れて、それによってリールロック３８を完全に解除するために、ロック歯車の歯４８の深さをリール歯車の歯５６の深さよりわずかに小さくする、（もしくは、歯の全深よりクモ形の脚部５０がリール歯車の歯５６のギャップ５４内へ突出する距離の方が小さい場合、その距離より小さくする）必要がある。ロック歯車４２の底部７２上のボタン７０を介してロック歯車４２及びクモ形ワッシャ４０間で力が伝達される。（テープリール１４と共に回転する）クモ形ワッシャ４０及び（カートリッジハウジング１２に回転方向に固定されている）ロック歯車４２間の摩擦インターフェース／支承表面が、ボタン７０に生じる。ボタン７０にある摩擦インターフェースは、リールの回転中心にあり、そのため、ボタン７０の半径を比較的小さくすることができ、それにより、摩擦抵抗及び磨耗が最小限に抑えられる。
【００１２】
図９及び図１０並びに図１１及び図１２は、位置合わせ機構５７及び関連のダンパ６５の代替形状を示す。最初に図９及び図１０を参照すると、位置合わせ機構は、ハウジング１２のカバー部分１８上のハブ７４及び突出インサート７６と、ロック歯車４２の上部６２の嵌合受け部７８とを備えている。本実施形態では、インサート７６は、ハウジングカバー１８上の隆起したスポークとして構成されており、ダンパは、スポーク７６間でハウジング１２に取り付けられたディスク形弾性パッド８０として構成されている。ロック歯車４２がロック解除位置まで押し上げられたとき、スポーク７６が受け部８０内へより深く滑り込むので、受け部７８はパッド８０と接触する位置へ押し進められる。このため、リールロック３８が解除位置にある間、弾性パッド８０がロック歯車４２及びハウジング１２間で圧縮され、それにより、ロック歯車４２のあらゆる振動も減衰して、ハウジング１２をそのような振動から隔離する。
【００１３】
図１１及び図１２を参照すると、位置合わせ機構は、ハウジング１２のカバー部分１８上のインサート８２と、ロック歯車４２の上部６２の嵌合受け部８４とを備えている。本実施形態では、インサート８２は、ハウジングのカバー部分１８上の十字隆起部として構成されており、ダンパは、隆起部８２の周囲でハウジング１２に取り付けられたディスク形弾性パッド８６として構成されている。ロック歯車４２がロック解除位置まで押し上げられたとき、隆起部８２が受け部８４内へより深く滑り込むので、受け部８４はパッド８６と接触する位置へ押し進められる。このため、リールロック３８が解除位置にある間、弾性パッド８６がロック歯車４２及びハウジング１２間で圧縮され、それにより、ロック歯車４２のあらゆる振動も減衰して、ハウジング１２をそのような振動から隔離する。
【００１４】
図１３〜図１６を参照すると、位置合わせ機構５７は、図２〜図８の隆起形インサート５８及び嵌合受け部６０を備えているが、ダンパ６５が、隆起部５８の外側に取り付けられた、または一体化された弾性パッド８８からなる。図１５の詳細図に示されている一実施形態では、弾性パッド８８が隆起部５８の外側にライニングされた硬い起毛材料から形成されている。図１６の詳細図に示されている別の実施形態では、弾性パッド８８が隆起部５８の外側に沿って成形された多数の小フィンガとして形成されている。これらの実施形態では、パッド８８が隆起部５８及び受け部６０間に軽度の弾性的な干渉を生じ、それにより、ロック歯車４２のあらゆる振動も減衰して、ハウジング１２をそのような振動から隔離する。
【００１５】
弾性パッド６６、８０及び８６は一般的に、ゴムか、または他の適当なエラストマー材料で形成されることが予期されるが、必要または所望の減衰を与える任意の弾性材料を使用することができる。「歯」は、任意の鋭角、丸み付き、または他の凹凸の組み合わせを意味する。
【００１６】
以上の例示的な実施形態を参照しながら、本発明を図示して説明してきた。しかし、添付の特許請求の範囲で定義される本発明の精神及び範囲から逸脱することなく、他の形状、詳細及び実施形態にすることができることを理解されたい。
【図面の簡単な説明】
【００１７】
【図１】シングル供給リールテープカートリッジの底面側の斜視図である。
【図２】本発明の一実施形態に従って構成されたシングル供給リールテープカートリッジの、リールロックがロック位置にあるところを示す断面斜視図である。
【図３】本発明の一実施形態に従って構成されたシングル供給リールテープカートリッジの、リールロックがロック解除位置にあるところを示す断面斜視図である。
【図４】図２及び図３に示されたカートリッジのハウジングの上部の内側の斜視図である。
【図５】図２及び図３に示されたカートリッジのリールロック構成部品の上部斜視図である。
【図６】図４に示された構成部品の分解斜視図である。
【図７】図２及び図３に示されたカートリッジのリールロック構成部品の、クモ形ワッシャの脚部がロック位置にあるところを示す斜視図である。
【図８】図２及び図３に示されたカートリッジのリールロック構成部品の、クモ形ワッシャの脚部がロック解除位置にあるところを示す斜視図である。
【図９】本発明の第２実施形態に従って構成されたテープカートリッジのリールロック及び移動減衰構成部品を示す斜視図である。
【図１０】本発明の第２実施形態に従って構成されたテープカートリッジのリールロック及び移動減衰構成部品を示す斜視図である。
【図１１】本発明の第３実施形態に従って構成されたテープカートリッジのリールロック及び移動減衰構成部品を示す斜視図である。
【図１２】本発明の第３実施形態に従って構成されたテープカートリッジのリールロック及び移動減衰構成部品を示す斜視図である。
【図１３】本発明の第４実施形態に従って構成されたテープカートリッジのリールロック及び移動減衰構成部品を示す斜視図である。
【図１４】本発明の第４実施形態に従って構成されたテープカートリッジのリールロック及び移動減衰構成部品を示す断面図である。
【図１５】図１３及び図１４に示された構成部品のダンパ部分の一実施形態の詳細図である。
【図１６】図１３及び図１４に示された構成部品のダンパ部分の別の実施形態の詳細図である。
【符号の説明】
【００１８】
１０  テープカートリッジ
１２  ハウジング
１４  テープリール
１８  カバー
２０  ベース
２４  アクセス窓
２６  ドア
２８  フランジ
３０  フランジ
３２  ハブ
３４  リール歯車
３８  リールロック
４０  スパイダワッシャ
４２  ロック歯車
４４  ロックポスト
４６  ロックポストの端部
４８  ロック歯車の歯
５０  スパイダ脚部
５２  穴
５４  ギャップ
５６  リール歯車の歯
５７  位置合わせ機構
５８  インサート
６０  スロット（受け部）
６２  ロック歯車の上部
６４  バイアス機構
６５  ダンパ
６６  弾性パッド
７０  ボタン
７２  ロック歯車の底部
７６  インサート
７８  受け部
８０  弾性パッド
８２  インサート
８４  受け部
８６  弾性パッド
８８  弾性パッド
【図１】
2005141898.tif 000003
【図２】
2005141898.tif 000004
【図３】
2005141898.tif 000005
【図４】
2005141898.tif 000006
【図５】
2005141898.tif 000007
【図６】
2005141898.tif 000008
【図７】
2005141898.tif 000009
【図８】
2005141898.tif 000010
【図９】
2005141898.tif 000011
【図１０】
2005141898.tif 000012
【図１１】
2005141898.tif 000013
【図１２】
2005141898.tif 000014
【図１３】
2005141898.tif 000015
【図１４】
2005141898.tif 000016
【図１５】
2005141898.tif 000017
【図１６】
2005141898.tif 000018